(57)【要約】【課題】詰め替え袋から被詰め替え容器へ内容物を詰め替える際に、内容物が被詰め替え容器の外へこぼれてしまうのを抑制することができる詰め替え袋を提供することを課題とする。【解決手段】シート材を用いて形成されて内容物を収容する袋本体と、筒状に形成されて袋本体の内外を連通させると共に袋本体から突出するノズル部とを備えており、該ノズル部は、袋本体からの突出方向に位置する先端部に、袋本体内の内容物を流出させるノズル開口部を備えており、該ノズル部の先端部が被詰め替え容器の開口部と連結されることで、袋本体から被詰め替え容器への内容物の詰め替えが行われる詰め替え袋であって、ノズル部の先端部と被詰め替え容器の開口部との連結に伴って破断する破断部を有する破断シートによってノズル開口部が閉塞されており、破断部は、破断シートにおけるノズル開口部を覆う領域に形成される。【選択図】図１
2019182489.tif 000002
【特許請求の範囲】
【請求項１】
シート材を用いて形成されて内容物を収容する袋本体と、筒状に形成されて袋本体の内外を連通させると共に袋本体から突出するノズル部とを備えており、
該ノズル部は、袋本体からの突出方向に位置する先端部に、袋本体内の内容物を流出させるノズル開口部を備えており、
該ノズル部の先端部が被詰め替え容器の開口部と連結されることで、袋本体から被詰め替え容器への内容物の詰め替えが行われる詰め替え袋であって、
ノズル部の先端部と被詰め替え容器の開口部との連結に伴って破断する破断部を有する破断シートによってノズル開口部が閉塞されており、
破断部は、破断シートにおけるノズル開口部を覆う領域に形成される詰め替え袋。
【請求項２】
前記ノズル部は、ノズル開口部を囲むように形成された凹状部を先端部に備えており、
該凹状部は、ノズル部の先端部と被詰め替え容器の開口部とが連結される際に、被詰め替え容器における開口部を形成する端部を挿入可能に構成される請求項１に記載の詰め替え袋。
【請求項３】
破断部は、線状に形成されると共に、破断シートの他の部分よりも厚みが薄くなるように形成される請求項１又は２に記載の詰め替え袋。
【請求項４】
前記破断部は、破断シートにおけるノズル開口部を覆う領域に放射状に形成される請求項１乃至３の何れか一項に記載の詰め替え袋。
【請求項５】
破断シートに対して剥離可能に貼り付けられる剥離シートを更に備えており、
該剥離シートは、破断部を覆うように破断シートに貼り付けられる請求項１乃至４の何れか一項に記載の詰め替え袋。
【発明の詳細な説明】
【技術分野】
【０００１】
本発明は、被詰め替え容器の内容物を詰め替える際に用いられる詰め替え袋に関する。
【背景技術】
【０００２】
シャンプー、リンス、コンディショナー等の液状内容物を収容する容器としては、押下ヘッドの押し下げによりポンプ機構を作動させて押下ヘッドに設けた注出口から液状内容物を吐出させるものや、注出口付きのキャップを備えたものが汎用されている。このような容器は、内容物を使い切った際に、廃棄されるものがあるが、近年では、資源の有効利用の観点から、内容物を詰め替えて繰り返し使用されるものもある。
【０００３】
このように、内容物を詰め替えて繰り返し使用される容器（以下、被詰め替え容器とも記す）において、内容物の詰め替えを行う際には、詰め替え用の内容物を収容した詰め替え袋が使用される。該詰め替え袋は、シート材を用いて形成されて内容物を収容する袋本体と、筒状に形成されて袋本体から突出するように袋本体に取り付けられるノズル部と、該ノズル部に取り付けられる蓋体とを備えるものが知られている（特許文献１参照）。該ノズル部は、袋本体の内外を連通させるものであって、袋本体からの突出方向に位置する先端部に形成された開口部（以下、ノズル開口部とも記す）から袋本体内の内容物を流出可能に構成される。また、ノズル部の先端部に蓋体が取り付けられることで、ノズル開口部が蓋体によって閉塞される。
【０００４】
そして、ノズル部の先端部と被詰め替え容器の開口部（例えば、注出口を有する押下ヘッドや注出口付きのキャップが取り付けられる開口部）とを連結することで、詰め替え袋から被詰め替え容器への内容物の詰め替えを行う。具体的には、被詰め替え容器の開口部を上方に向けて配置し、詰め替え袋のノズル部の先端部から蓋体を取り外し、ノズル部の先端部を下方へ向けつつ速やかに被詰め替え容器の開口部の内側へノズル開口部を挿入する。これにより、ノズル開口部から流出する内容物が被詰め替え容器内へ流入するため、被詰め替え容器内の内容物の詰め替えを行うことができる。
【先行技術文献】
【特許文献】
【０００５】
【特許文献１】特開２０１７−４７９７１号公報
【発明の概要】
【発明が解決しようとする課題】
【０００６】
しかしながら、上記のように、蓋体を取り外した後のノズル部の先端部を下方へ向けて、詰め替えを行う場合、ノズル開口部から内容物が意図せずに流出し、被詰め替え容器の外へ内容物がこぼれてしまう虞がある。
【０００７】
そこで、本発明は、詰め替え袋から被詰め替え容器へ内容物を詰め替える際に、内容物が被詰め替え容器の外へこぼれてしまうのを抑制することができる詰め替え袋を提供することを課題とする。
【課題を解決するための手段】
【０００８】
本発明に係る詰め替え袋は、シート材を用いて形成されて内容物を収容する袋本体と、筒状に形成されて袋本体の内外を連通させると共に袋本体から突出するノズル部とを備えており、該ノズル部は、袋本体からの突出方向に位置する先端部に、袋本体内の内容物を流出させるノズル開口部を備えており、該ノズル部の先端部が被詰め替え容器の開口部と連結されることで、袋本体から被詰め替え容器への内容物の詰め替えが行われる詰め替え袋であって、ノズル部の先端部と被詰め替え容器の開口部との連結に伴って破断する破断部を有する破断シートによってノズル開口部が閉塞されており、破断部は、破断シートにおけるノズル開口部を覆う領域に形成される。
【０００９】
斯かる構成によれば、ノズル部の先端部と被詰め替え容器の開口部との連結に伴って破断する破断部を有する破断シートによってノズル開口部が閉塞されており、破断部は、破断シートにおけるノズル開口部を覆う領域に形成される。これにより、ノズル部の先端部と被詰め替え容器の開口部とが連結されるまでは、破断シートが破断しないため、破断シートによってノズル開口部が閉塞された状態が維持される。このため、ノズル部の先端部と被詰め替え容器の開口部との連結を行う際に、ノズル開口部を下方へ向けた状態としても内容物がノズル開口部から流出することがない。
【００１０】
そして、ノズル部の先端部と被詰め替え容器の開口部との連結によって、破断シートの破断部が破断することで、ノズル開口部から内容物が流出し、被詰め替え容器内へ供給される。つまり、破断シートが破断するまでは、ノズル部の先端部を下方へ向けても内容物がノズル開口部から流出しないため、被詰め替え容器の外へ内容物がこぼれてしまうのを抑制することができる。また、ノズル開口部を下方へ向けた状態で、ノズル部の先端部と被詰め替え容器の開口部との連結を行うことができるため、詰め替え作業を容易に行うことができる。
【００１１】
前記ノズル部は、ノズル開口部を囲むように形成された凹状部を先端部に備えており、該凹状部は、ノズル部の先端部と被詰め替え容器の開口部とが連結される際に、被詰め替え容器における開口部を形成する端部を挿入可能に構成されることが好ましい。
【００１２】
斯かる構成によれば、ノズル部は、ノズル開口部を囲むように形成された凹状部を先端部に備える。また、該凹状部は、ノズル部の先端部と被詰め替え容器の開口部とが連結される際に、被詰め替え容器における開口部を形成する端部を挿入可能に構成される。このため、ノズル部の先端部と被詰め替え容器の開口部とを連結した際に、凹状部に被詰め替え容器の開口部を形成する端部が挿入されるため、ノズル部の先端部と被詰め替え容器の開口部との連結状態を安定させることができる。これにより、被詰め替え容器の外へ内容物がこぼれてしまうのをより効果的に抑制することができる。
【００１３】
破断部は、線状に形成されると共に、破断シートの他の部分よりも厚みが薄くなるように形成されることが好ましい。
【００１４】
斯かる構成によれば、破断部は、線状に形成されると共に、破断シートの他の部分よりも厚みが薄くなるように形成される。これにより、ノズル部の先端部と被詰め替え容器の開口部との連結によって、破断部の破断が容易に生じるため、詰め替え袋から被詰め替え容器への内容物の詰め替えを容易に行うことができる。
【００１５】
前記破断部は、破断シートにおけるノズル開口部を覆う領域に放射状に形成されることが好ましい。
【００１６】
斯かる構成によれば、破断部は、ノズル開口部を覆う領域（以下、破断領域とも記す）に放射状に形成される。これにより、ノズル部の先端部と被詰め替え容器の開口部との連結によって破断部の破断が破断領域の中央部から外側へ向かって放射状に生じるため、詰め替え袋から被詰め替え容器への内容物の詰め替えをスムーズに行うことができる。
【００１７】
破断シートに対して剥離可能に貼り付けられる剥離シートを更に備えており、該剥離シートは、破断部を覆うように破断シートに貼り付けられることが好ましい。
【００１８】
斯かる構成によれば、破断シートに対して剥離可能に貼り付けられる剥離シートを更に備えており、該剥離シートは、破断部を覆うように破断シートに貼り付けられる。これにより、破断部に他の物体が意図せずに接触して破断してしまうのを剥離シートによって防止することができる。また、剥離シートを破断シートから剥離することで、破断部を破断可能な状態にすることができる。
【発明の効果】
【００１９】
以上のように、本発明によれば、詰め替え袋から被詰め替え容器へ内容物を詰め替える際に、内容物が被詰め替え容器の外へこぼれてしまうのを抑制することができる。
【図面の簡単な説明】
【００２０】
【図１】本発明の一実施形態に係る詰め替え袋を示した斜視図。
【図２】同実施形態に係る詰め替え袋が備えるノズル部及び閉塞シートの構成を示した斜視図。
【図３】同実施形態に係る詰め替え袋が備えるノズル部及び閉塞シートの断面図。
【図４】同実施形態に係る詰め替え袋をを被詰め替え容器の上方に配置した状態を示す断面図であって、詰め替え袋が備えるノズル部と閉塞シート、及び、被詰め替え容器の開口部の断面図。
【図５】同実施形態に係る詰め替え袋が備えるノズル部と、被詰め替え容器の開口部とが連結された状態を示す断面図。
【図６】本発明の他の実施形態に係る詰め替え袋が備えるノズル部と、被詰め替え容器の開口部とが連結された状態を示す断面図。
【発明を実施するための形態】
【００２１】
以下に、本発明に係る詰め替え袋の一実施形態について、図１〜５を参照しつつ説明する。なお、以下の図面において同一又は相当する部分には同一の参照符号を付しその説明は繰り返さない。
【００２２】
本実施形態に係る詰め替え袋１は、図１に示すように、シート材を用いて形成されて内容物を収容する袋本体２と、該袋本体２から突出するノズル部３と、該ノズル部３を閉塞する閉塞シート４とを備える。そして、詰め替え袋１は、内容物の詰め替えの対象となる被詰め替え容器が備える開口部とノズル部３とを連結することで、被詰め替え容器への内容物の詰め替えを行うものである。
【００２３】
袋本体２は、底部２ａが襠状に形成されており、内容物が収容されることによって底部２ａが開くことで、詰め替え袋１が自立するように構成される。また、袋本体２は、底部２ａに対向する天面部２ｂが襠状に形成されており、内容物が収容されることによって天面部２ｂが開くことで、底部２ａと天面部２ｂとの間に形成される側壁部２ｃが筒状となるように構成される。
【００２４】
ノズル部３は、袋本体２（具体的には、天面部２ｂ）から上方へ突出するように構成される。ノズル部３は、袋本体２とは別部材から構成されており、天面部２ｂに取り付けられる。また、ノズル部３は、図２に示すように、筒状の形状を有し、袋本体２の内外を連通させる。また、該ノズル部３は、突出方向に位置する先端部３ａに、袋本体２内の内容物を流出させるノズル開口部３ｂを備える。また、ノズル部３は、先端部３ａに凹状部３ｃを備える。該凹状部３ｃは、ノズル開口部を囲むように（本実施形態では、環状に）形成される。また、凹状部３ｃは、後述する被詰め替え容器Ｘの開口部Ｘ１を形成する端部を挿入可能に構成される。また、凹状部３ｃは、深さ方向がノズル部３の軸線に沿うように形成される。そして、ノズル部３は、突出方向に位置する先端部３ａに閉塞シート４が貼り付けられる。
【００２５】
閉塞シート４は、ノズル部３の先端部３ａと被詰め替え容器の開口部との連結に伴って破断する破断シート４ａと、該破断シート４ａに剥離可能に貼り付けられる剥離シート４ｂとを備える。
【００２６】
破断シート４ａは、ノズル部３の先端部３ａの全体を覆うことが可能な面積を有するように形成される。また、破断シート４ａは、剥離シート４ｂと略同一形状となるように形成される。また、破断シート４ａは、ノズル部３の先端部３ａと被詰め替え容器の開口部との連結に伴って破断する破断部４ｃを備える。該破断部４ｃは、破断シート４ａにおけるノズル開口部３ｂを覆う領域（以下、破断領域とも記す）４ｄに形成される。また、破断部４ｃは、線状に形成される。具体的には、破断部４ｃは、破断領域４ｄの中央側から外側へ向かって放射状に形成される。
【００２７】
破断部４ｃは、破断シート４ａの他の部分よりも厚みが薄くなるように形成される。具体的には、破断部４ｃは、破断領域４ｄがノズル部３側から貫通することなく切り込まれて形成された切り込み線（所謂、ハーフカット）から構成される。換言すれば、破断部４ｃは、所謂、ハーフカットによって形成される。
【００２８】
剥離シート４ｂは、ノズル部３の先端部３ａの全体を覆うことが可能な面積を有するように形成される。また、剥離シート４ｂは、破断シート４ａと略同一形状となるように形成される。また、剥離シート４ｂは、破断シート４ａの破断部４ｃを覆うように破断シート４ａに貼り付けられる。
【００２９】
上記のように構成される閉塞シート４は、図３に示すように、破断シート４ａをノズル部３側へ向けてノズル部３の先端部３ａに貼り付けられる。これにより、ノズル開口部３ｂが破断シート４ａによって閉塞される。また、凹状部３ｃが破断シート４ａによって覆われた状態になる。
【００３０】
次に、上記のように構成される詰め替え袋１を用いて被詰め替え容器の内容物を詰め替える際の手順について説明する。まず初めに、剥離シート４ｂを破断シート４ａから剥離して破断シート４ａの破断領域４ｄが露出した状態にする。
【００３１】
ここで、被詰め替え容器としては、特に限定されるものではなく、例えば、図４に示すように、内外を連通させる開口部Ｘ１を備える被詰め替え容器Ｘを用いることができる。該被詰め替え容器Ｘは、詰め替え袋１と連結される開口部Ｘ１を形成する先端部（以下、容器先端部とも記す）Ｘ２を有する。具体的には、被詰め替え容器Ｘは、内容物を収容する容器本体Ｘ３と、該容器本体Ｘ３から突出するように形成された筒状の容器突出部Ｘ４とを備える。そして、該容器突出部Ｘ４における突出方向の端部に開口部Ｘ１が形成される。つまり、容器突出部Ｘ４における突出方向の端部によって容器先端部Ｘ２が構成される。
【００３２】
そして、ノズル部３の先端部３ａが下方に向くようにして、詰め替え袋１を被詰め替え容器Ｘの開口部Ｘ１の上方に配置する。斯かる状態において、詰め替え袋１を被詰め替え容器Ｘ側へ相対的に移動させ、容器先端部Ｘ２をノズル部３の凹状部３ｃに挿入する。これにより、図５に示すように、容器先端部Ｘ２によって破断シート４ａの一部が凹状部３ｃ内へ押し込まれる。この際、破断シート４ａの破断領域４ｄに形成された破断部４ｃに張力が加わって、該破断部４ｃが破断する。
【００３３】
これにより、ノズル部３内の空間と、被詰め替え容器Ｘの開口部Ｘ１（容器突出部Ｘ４）内の空間とが連通するため、詰め替え袋１から被詰め替え容器Ｘ側への内容物の詰め替えを行うことができる。また、ノズル部３の先端部３ａと容器先端部Ｘ２との間に形成される隙間の少なくとも一部が凹状部３ｃ内へ押し込まれた破断シート４ａの一部によって埋まるため、ノズル部３の先端部３ａと被詰め替え容器Ｘの開口部Ｘ１との結合状態が安定して維持される。
【００３４】
以上のように、本発明に係る包装袋によれば、詰め替え袋から被詰め替え容器へ内容物を詰め替える際に、内容物が被詰め替え容器の外へこぼれてしまうのを抑制することができる。
【００３５】
即ち、ノズル部３の先端部３ａと被詰め替え容器Ｘの開口部Ｘ１との連結に伴って破断する破断部４ｃを有する破断シート４ａによってノズル開口部３ｂが閉塞されており、破断部４ｃは、破断シート４ａにおけるノズル開口部３ｂを覆う領域に形成される。これにより、ノズル部３の先端部３ａと被詰め替え容器Ｘの開口部Ｘ１とが連結されるまでは、破断シート４ａが破断しないため、破断シート４ａによってノズル開口部３ｂが閉塞された状態が維持される。このため、ノズル部３の先端部３ａと被詰め替え容器Ｘの開口部Ｘ１との連結を行う際に、ノズル開口部３ｂを下方へ向けた状態としても内容物がノズル開口部３ｂから流出することがない。
【００３６】
そして、ノズル部３の先端部３ａと被詰め替え容器Ｘの開口部Ｘ１との連結によって、破断シート４ａの破断部４ｃが破断することで、ノズル開口部３ｂから内容物が流出し、被詰め替え容器Ｘ内へ供給される。つまり、破断シート４ａが破断するまでは、ノズル部３の先端部３ａを下方へ向けても内容物がノズル開口部３ｂから流出しないため、被詰め替え容器Ｘの外へ内容物がこぼれてしまうのを抑制することができる。また、ノズル開口部３ｂを下方へ向けた状態で、ノズル部３の先端部３ａと被詰め替え容器Ｘの開口部Ｘ１との連結を行うことができるため、詰め替え作業を容易に行うことができる。
【００３７】
また、ノズル部３は、ノズル開口部３ｂを囲むように形成された凹状部３ｃを先端部３ａに備える。また、該凹状部３ｃは、ノズル部３の先端部３ａと被詰め替え容器Ｘの開口部Ｘ１とが連結される際に、容器先端部Ｘ２を挿入可能に構成される。このため、ノズル部３の先端部３ａと被詰め替え容器Ｘの開口部Ｘ１とを連結した際に、凹状部３ｃに容器先端部Ｘ２が挿入されるため、ノズル部３の先端部３ａと被詰め替え容器Ｘの開口部Ｘ１との連結状態を安定させることができる。これにより、被詰め替え容器Ｘの外へ内容物がこぼれてしまうのをより効果的に抑制することができる。
【００３８】
また、破断部４ｃは、線状に形成されると共に、破断シート４ａの他の部分よりも厚みが薄くなるように形成される。これにより、ノズル部３の先端部３ａと被詰め替え容器Ｘの開口部Ｘ１との連結によって、破断部４ｃの破断が容易に生じるため、詰め替え袋から被詰め替え容器Ｘへの内容物の詰め替えを容易に行うことができる。
【００３９】
また、破断部４ｃは、破断領域４ｄに放射状に形成される。これにより、ノズル部３の先端部３ａと被詰め替え容器Ｘの開口部Ｘ１との連結によって破断部４ｃの破断が破断領域４ｄの中央部側から外側へ向かって放射状に生じるため、詰め替え袋１から被詰め替え容器Ｘへの内容物の詰め替えをスムーズに行うことができる。
【００４０】
また、破断シート４ａに対して剥離可能に貼り付けられる剥離シート４ｂを更に備えており、該剥離シート４ｂは、破断部４ｃを覆うように破断シート４ａに貼り付けられる。これにより、破断部４ｃに他の物体が意図せずに接触して破断してしまうのを剥離シート４ｂによって防止することができる。また、剥離シート４ｂを破断シート４ａから剥離することで、破断部４ｃを破断可能な状態にすることができる。
【００４１】
なお、本発明に係る詰め替え袋は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記の各種の変更例に係る構成や方法等を任意に選択して、上記の実施形態に係る構成や方法等に採用してもよいことは勿論である。
【００４２】
例えば、上記実施形態では、ノズル部３は、先端部３ａに凹状部３ｃを備えるように構成されているが、これに限定されるものではなく、例えば、図６に示すように、ノズル部３が凹状部３ｃを備えないように構成してもよい。斯かる場合には、容器先端部Ｘ２をノズル開口部３ｂに挿入することで、破断シート４ａの破断部４ｃが破断され、破断領域４ｄがノズル開口部３ｂの内側へ押し込まれる。この際、ノズル開口部３ｂの内側へ押し込まれた破断領域４ｄによって、容器先端部Ｘ２とノズル開口部３ｂとの隙間が埋まることが好ましい。これにより、詰め替え袋１の内容物が斯かる隙間を通って被詰め替え容器Ｘの外側へこぼれるのが防止される。
【００４３】
上記実施形態では、破断領域４ｄは、線状に形成されるものであるが、線状とは、長手方向に対して交差する方向の幅を略有さない形状（例えば、切り込み線等）に加え、幅を有する形状（例えば、帯状など）も含む概念である。また、上記実施形態では、破断部４ｃは、放射状に形成されているが、これに限定されるものではなく、例えば、Ｃ字状に形成されてもよい。斯かる場合には、Ｃ字状の破断部４ｃの全体が凹状部３ｃと重なるようにノズル部３の先端部３ａに閉塞シート４（具体的には、破断シート４ａ）が貼り付けられることが好ましい。これにより、容器先端部Ｘ２が凹状部３ｃへ挿入される際に、該容器先端部Ｘ２の押圧によってＣ字状の破断部４ｃを破断させることができる。
【００４４】
また、上記実施形態では、破断部４ｃは、破断シート４ａにおけるノズル部３側の面に形成されているが、これに限定されるものではなく、例えば、ノズル部３側の面の反対側の面に形成されてもよい。また、上記実施形態では、破断部４ｃは、所謂、ハーフカットによって形成されているが、これに限定されるものではなく、例えば、ミシン目によって形成されてもよい。
【００４５】
また、上記実施形態では、破断シート４ａに剥離シート４ｂが貼り付けられて閉塞シート４が形成されているが、これに限定されるものではなく、例えば、破断シート４ａのみで閉塞シート４が構成されてよい。斯かる場合には、破断シート４ａを内側に配置可能な蓋材（図示せず）をノズル部３の先端部３ａに取り付けて破断シート４ａを保護するように構成してもよい。
【００４６】
上記実施形態では、被詰め替え容器Ｘは、容器突出部Ｘ４が容器本体Ｘ３から突出するように形成されているが、これに限定されるものではなく、例えば、容器本体Ｘ３が底部を有する筒状に形成されて、底部と対向する側に端部に開口部Ｘ１が形成されたものであってもよい。つまり、容器本体Ｘ３自体が容器先端部Ｘ２を備えるように構成された被詰め替え容器Ｘであってもよい。
【００４７】
また、詰め替え袋１に収容される内容物としては、特に限定されるものではなく、例えば、シャンプー、リンス、コンディショナー、醤油、食用油等の液状のものであってもよく、コーヒー、塩、胡椒等の粉状のものであってもよく、大豆、コーヒー豆等の粒状のものであってもよい。
【符号の説明】
【００４８】
１…詰め替え袋、２…袋本体、２ａ…底部、２ｂ…天面部、２ｃ…側壁部、３…ノズル部、３ａ…先端部、３ｂ…ノズル開口部、３ｃ…凹状部、４…閉塞シート、４ａ…破断シート、４ｂ…剥離シート、４ｃ…破断部、４ｄ…破断領域、Ｘ…容器、Ｘ１…開口部、Ｘ２…容器先端部、Ｘ３…容器本体、Ｘ４…容器突出部
【図１】
2019182489.tif 000003
【図２】
2019182489.tif 000004
【図３】
2019182489.tif 000005
【図４】
2019182489.tif 000006
【図５】
2019182489.tif 000007
【図６】
2019182489.tif 000008